Podtech/llm-jp-corpus-v4-ja_patent huggingface dataset:
(57)【要約】【課題】  ふくらはぎあたりは、いままで、装着する装身具がなく殺風景だった。  本発明は、以上の問題点を解決するためになされたものである。【解決手段】  ふくらはぎ用バンドタイプの紐の両端に接合部を設け、それをリング状にして装着できることを特徴とする。【選択図】図１
2017209465.tif 000002
【特許請求の範囲】
【請求項１】
装身具の本体の両端に接合部を設け、本体に装飾品を取り付け、ふくらはぎに装飾具本体を取付けることを特徴としたふくらはぎ用装身具。
【請求項２】
装飾品を装飾具本体に吊り下げて、取り付けられるように孔を設けた請求項２のふくらはぎ用装身具。
【発明の詳細な説明】
【技術分野】
【０００１】  本発明は、脚のふくらはぎあたりに装着できるように工夫したふくらはぎ用装身具に関するものである。
【背景技術】
【０００２】  従来、足首に付ける装身具はあったが、脚のふくらはぎあたりに装着できる装身具はなかった。
【発明の概要】
【発明が解決しようとする課題】
【０００３】  首につけるネックレスは長さが長すぎて装着できず、また、足首に付けるアンクレットの長さが短すぎて装着することが不可能であった。
本発明は以上の問題点を解決するためになされたものである。
【課題を解決するための手段】
【０００４】  装身具の本体（１）の両端に接合部（２ａ）、接合部（２ｂ）を設け、本体（１）に装飾品（３）を取り付け、ふくらはぎに装飾具本体を取付けることを特徴としたふくらはぎ用装身具。
【発明の効果】
【０００５】  従来、ふくらはぎのあたりを飾る装身具はなく、本発明により、ふくらはぎあたりを楽しく華やかに見せることができる。
また、デザインや金属、皮、アクリル等の素材で作り、楽しむことができる。
【図面の簡単な説明】
【０００６】
【図１】  本発明の斜視図である。
【図２】  本発明の使用状態を示した斜視図である。
【発明を実施するための形態】
【０００７】  以下、本発明の実施の形態について説明する。
本発明の帯状の本体（１）の両端に接合部（２ａ）、接合部（２ｂ）を設ける。
本体（１）の中程に装飾品（３）を取り付ける。
この装飾品（３）は本体（１）に吊り下げて、取り付けられるように孔を設けているので、装飾品（３）の交換は自由にできる。
本発明は以上のように構成されたふくらはぎ用装身具である。
本発明の実施例として本体（１）は帯状物を使用しているが、カラフルな紐や鎖等を用いることによって、装身具としてより映えることになる。
最適になるように本体（１）の長さは、人によってふくらはぎの太さが異なるので取り付けるときは、接合部（２）で帯の長さを調整する。
実際に取り付けるときは、膝の下でふくらはぎの筋肉の上に取り付けたことによって筋肉がストッパーとなり、ずり落ちることはない。
【符号の説明】
【０００８】    １  本体
２  接合部
３  装飾品
【図１】
2017209465.tif 000003
【図２】
2017209465.tif 000004
【図３】
2017209465.tif 000005
【手続補正書】
【提出日】平成28年7月15日(2016.7.15)
【手続補正１】
【補正対象書類名】明細書
【補正対象項目名】０００６
【補正方法】変更
【補正の内容】
【０００６】
【図１】  本発明の斜視図である。
【図２】  本発明の斜視図である。
【図３】  本発明の使用状態を示した斜視図である。
(57)【要約】【課題】  本発明は、カーテンの布地を着物、和柄、民族衣装柄とし、カーテンの上部前後に１組〜数組の紐を設け、前後の紐を縛ることで、上下に手動で開閉する紐結びカーテンに関するものである。【解決手段】  窓のカーテンレールに掛けられるよう、カーテン（２）の後ろ上部にカーテンテープ（３）カーテンフック（４）を取り付け、カーテン（２）の上部、同じ位置の前後に、前紐（１）後紐（５）を設ける。（ｃ）前紐（１）と後紐（５）を任意の位置で双方の紐を縛ることで、カーテンが手動で上下に手動で開閉する紐結びカーテン。【選択図】図３
2017209463.tif 000002
【特許請求の範囲】
【請求項１】
窓のカーテンレールに掛けられるよう、カーテン（２）の後ろ上部にカーテンテープ（３）カーテンフック（４）を取り付け、カーテン（２）の上部、同じ位置の前後に、前紐（１）後紐（５）を設ける。（ｃ）前紐（１）と後紐（５）を任意の位置で双方の紐を縛ることで、カーテンが手動で上下に手動で開閉する紐結びカーテン。
【請求項２】
カーテンに、前紐（１）後紐（５）を１対設けた請求項１の紐結びカーテン。
【請求項３】
カーテンに、前紐（１）後紐（５）を２対設けた請求項１の紐結びカーテン。
【請求項４】
カーテンに、前紐（１）後紐（５）を３対〜数対設けた請求項１の紐結びカーテン。
【請求項５】
カーテンの布地は、着物・和柄・民族衣装柄としたた請求項１の紐結びカーテン。
【発明の詳細な説明】
【技術分野】
【０００１】  本発明は、カーテンの布地を着物、和柄、民族衣装柄とし、カーテンの上部前後に１組〜数組の紐を設け、前後の紐を縛ることで、上下に手動で開閉する紐結びカーテンに関するものである。
【背景技術】
【０００２】  屋内開口部に吊るしたカーテンにおいて、上下に開閉する場合はシエードのメカが必要で、カーテンレールを取り外しシエードのメカを取り付ける工事が必要であった。
【先行技術文献】
【特許文献】
【０００３】
【特許文献１】  実開平５−５３５８５号公報
【発明の概要】
【発明が解決しようとする課題】
【０００４】  このようにシエードのメカを取り付ける工事をすることなく、付いているカーテンレールを利用して、前後の紐を縛ることにより、上下に手動で開閉できるカーテンである。
前紐と後紐を任意の位置で双方の紐を縛ることで、カーテンを上下に手動で開閉するものである。
なので、シエードのメカを取り付ける工事をすることなく、付いているカーテンレールで、カーテンを上下に手動で開閉できるのである。
【発明を解決するための手段】
【０００５】  屋内開口部のカーテンレールに掛けられるよう、カーテン（２）の後ろ上部にカーテンテープ（３）カーテンフック（４）を取り付ける。
次に、カーテン（２）の上部、同じ位置の前後に、前紐（１）後紐（５）を１対〜数対設ける。
説明図では、２対の状態を描いている。
前紐（１）と後紐（５）を任意の位置で双方の紐を縛ることで、カーテンが上下に手動で開閉する。
本発明は以上のように構成された紐結びカーテンである。
【発明の効果】
【０００６】  本発明に係る紐結びカーテンは、シエードのメカを取り付ける工事をすることなく、カーテンレールを利用してカーテンを上下に手動で開閉するものである。
カーテンの上部前後に１対〜数対の紐を設け、前後の紐を縛ることで、上下に手動で開閉することを特徴とする。
紐の本数を変えることで様々なデザインが可能なカーテンである。このカーテンの布地は着物・和柄・民族衣装柄とする。
【図面の簡単な説明】
【０００７】
【図１】  本発明に係わる２対の紐結びカーテンを吊るした屋内開口部の正面図である。
【図２】  本発明に係わる２対の紐結びカーテンの裏面図である。
【図３】  本発明に係わる２対の紐結びカーテンの斜視図である。
【図４】  本発明に係わる１対の紐結びカーテンを吊るした屋内開口部の正面図である。
【図５】  本発明に係わる１対の紐結びカーテンを前後の紐で縛った正面図である。
【図６】  本発明に係わる３対の紐結びカーテンを吊るした屋内開口部の正面図である。
【図７】  本発明に係わる３対の紐結びカーテンを前後の紐で縛った正面図である。
【発明を実施するための形態】
【０００８】  本発明を実施するための形態を説明する。
窓のカーテンレールに掛けられるよう、カーテン（２）の後ろ上部にカーテンテープ（３）カーテンフック（４）を取り付ける。
次に、カーテン（２）の上部、同じ位置の前後に、前紐（１）と後紐（５）を１カ所〜数カ所設ける。
前紐（１）と後紐（５）を任意の位置で双方の紐を、リボン結びし縛ることで、カーテンを開閉する。
本発明は以上のように構成された紐結びカーテンである。
本発明は、カーテンの布地を着物、和柄、民族衣装柄とし、カーテンの上部前後に１組〜数組の紐を設け、前後の紐を縛ることで、開閉する。
【符号の説明】
【０００９】    １  前紐
２  カーテン
３  カーテンテープ
４  カーテンフック
５  後紐
【図１】
2017209463.tif 000003
【図２】
2017209463.tif 000004
【図３】
2017209463.tif 000005
【図４】
2017209463.tif 000006
【図５】
2017209463.tif 000007
【図６】
2017209463.tif 000008
【図７】
2017209463.tif 000009